(57)【要約】      （修正有）【課題】ランプ管専用ランプホルダー改良構造の提供。【解決手段】ランプ管専用ランプホルダー改良構造は、座体１０、及び、座体内部に装着される二つの導電片２０、スライドブロック３０、昇降素子４０、からなる。座体内面パネル１２に線形導槽１３を開設して、ランプ管のピンが下から上に自由に座体に進出することができる。昇降素子は、受力推昇して、高低の二つの位置で係止でき、昇降過程を利用して、スライドブロックを横向けに往復移動させる。上述のランプホルダー構造により、ランプ管のピンが線形導槽に引入して推昇、開放の動作を行うと、ランプ管をランプホルダー上の電源導通位置に固定させることができ、ランプ管をもう一度、推昇、開放動作させると、ランプ管は直接ランプホルダーから取り外すことができ、ランプ管の交換が容易で、更に、ランプ管の支承強度を強くすることができる。【選択図】図１
0003124706.tif 000002
【実用新案登録請求の範囲】
【請求項１】
ランプ管専用ランプホルダー構造であって、座体、及び、前記座体内部に装着される二つの導電片、昇降素子、スライドブロック、からなり、
前記座体は、パネルに線形導槽を開設して、ピンが下から上に自由に前記座体に進出することができ、
前記導電片は、前記線形導槽の側辺位置に設置され、前記線形導槽内のピンに進入して、前記導電片に接触し、電源を導通させ、
前記昇降素子は、受力推昇して、高低の二つの位置で係止する素子で、前記ピンに推着力を提供する押圧部と前記押圧部から上下にシフトする制動部を有し、前記制動部は、左右斜面を有し、
前記スライドブロックは、前記昇降素子の前記左右斜面から、それぞれ、横向けに往復移動する塊体で、且つ、前記スライドブロック上に、前記ランプ管のピンを跨置定位する支承部を設置し、
前述の構造により、前記昇降素子が高位置であるとき、前記制動部の右斜面は、前記スライドブロックを前記支承部に推移させて、前記ピンの前記線形導槽に進出する位置を妨害せず、前記昇降素子が低位置である時、前記制動部の左斜面は、前記スライドブロックを前記支承部を前記線形導槽に対応する位置に推移させることを特徴とするランプ管専用ランプホルダー構造。
【請求項２】
前記昇降素子は、前記制動部の底端、或いは、一側に、更に、指示棒を延伸し、前記指示棒の長さは、前記昇降素子が低位置に係止する時、前記指示棒の底端が前記座体底縁を突出することを特徴とする請求項１に記載のランプ管専用ランプホルダー構造。
【請求項３】
前記スライドブロックは、同時に、上下支承部を設置することができることを特徴とする請求項１に記載のランプ管専用ランプホルダー構造。
【請求項４】
前記座体は、そのパネルに二つ、或いは、一つの線形導槽を開設することができることを特徴とする請求項１に記載のランプ管専用ランプホルダー構造。
【考案の詳細な説明】
【技術分野】
【０００１】
本考案はランプ管専用ランプホルダー改良構造に関し、詳細には、一般の室内外証明用途に適するランプ管のランプホルダー構造設計に関する。
【背景技術】
【０００２】
公知のランプ管用ランプホルダー構造は、ランプ管の装着方式により二種類ある。一つは、挿接式ランプ管で、主に、座体上に弾性挿座を設け、弾性挿座上に一対の導電挿孔を設置し、ランプ管は弾性挿座の圧縮、反弾力作用により、ピンを導電挿孔に対応挿入して座体上に固定する。もう一つは、旋入式ランプホルダーで、主に、座体上に一対の導電片を設置し、導電片間に旋転体を設け、旋転体正面に線形トラックを凹設し、ランプ管のピンが線的に進入して、旋転体を定位置まで回転させ、ランプ管が導電片の接触位置で係止されて座体に固定する。
【０００３】
公知の挿接式ランプホルダー構造は、ランプ管装着時、ピンと導電挿孔の照準に注意を払いながら、手によりランプ管を挟持し、更に、もう片方の手で、弾性挿座を押圧しなければ、ランプ管両端のピンが導電挿孔に円滑に挿入されないので、極度の集中力を必要とする他、手指により弾性挿座を圧縮する動作は、感電する危険性を有するので心理的プレッシャーがある。また、公知の旋入式ランプホルダー構造は、ランプ管の転動は手指により締緊するので、難儀で、また、ランプ管の旋入、旋出方向を忘れることがある。
【０００４】
更に、公知の照明ランプ管において、一般によく見られるランプ管以外に、現在、狭小、或いは、浅薄空間の装着応用目的で開発されたT５ランプ管が市場において需要量が多くなっていて、T５ランプ管の管径は一般のランプ管より大幅に小さく、管径の制限により、T５ランプ管の同端二つのピンの距離も相対して一般のランプ管より小さい。これにより、一般のランプのランプホルダーは、T５ランプ管の直接装着使用ができず、現在、公知の挿接式ランプホルダーと旋入式ランプホルダーは、T５ランプ管と一般のランプ管専用の異なる規格形態に分けて製造されている。しかし、この解決手段は、使用者が異なる管径のランプ管に交換したい時、ランプホルダーごと全部交換しなければならないので、非常に不経済である。
【考案の開示】
【考案が解決しようとする課題】
【０００５】
本考案の目的は、ランプ管交換が容易で、支承強度が強いランプ管専用ランプホルダー構造を提供することにある。
【課題を解決するための手段】
【０００６】
上述の目的を達成するため、本考案のランプ管専用ランプホルダー構造は、主に、座体、及び、座体内部に装着される二つの導電片、昇降素子、スライドブロック、からなる。座体内側パネルには線形導槽を開設して、ランプ管のピンが下から上に自由に座体を進出することができるようにする。昇降素子は、受力推昇して、高低の二つの位置で係止すると共に、昇降過程で、スライドブロックを横向けに往復移動させる。上述のランプホルダー構造は、ランプ管を装着する時、ランプ管のピンを線形導槽に引入して推昇、開放動作させるだけで、昇降素子が高位置から低位置に移動すると同時に、スライドブロックがピンの下方で阻止され、ピンが導電片に接触する位置で抵定する。ランプ管を取り外したい時、座体上のランプ管を再度、推昇、開放動作させて、低位置から高位置に移動させて、同時に、スライドブロックを横に復位し、ピンは円滑に線形導槽から移出して取り外す。
【考案の効果】
【０００７】
公知の解決手段では、使用者が異なる管径のランプ管に交換したい時、ランプホルダーごと全部交換しなければならないので、非常に不経済であったが、本考案により、ランプ管交換が容易で、支承強度が強い効果を有するランプ管専用ランプホルダー構造が提供され、上述の問題を改善する。
【実施例１】
【０００８】
図１〜図５は、本考案の実施例１を示す図で、本構造は、主に、座体１０、及び、座体１０内部に装着される二つの導電片２０、スライドブロック３０、昇降素子４０、からなる。
【０００９】
座体１０は、ランプ管を接合する内側パネル１２に、二つの線形導槽１３を開設して、この槽幅は、ランプ管７０のピン７１の直径より大きく、同端の二つのピン７１は、下から上に平行に自由に座体１０に進出することができる。
【００１０】
二つの導電片２０は、線形導槽１３の側辺位置に設置され、ピン７１が導電片２０に接触し、電源を導通させる。
【００１１】
昇降素子４０は、受力推昇して、高低の二つの位置で係止する素子で、ピン７１に推着力を提供する押圧部４１と押圧部４１から上下にシフトする制動部４２を有し、制動部４２は、左右斜面４３、４４を有する。
【００１２】
スライドブロック３０は、前述の昇降素子４０の左右斜面４３、４４から、それぞれ、横向けに往復移動するブロック体で、且つ、スライドブロック上に、ランプ管７０のピン７１を跨置定位する支承部３１を設置する。
【００１３】
上述のランプホルダーは二個一組で、且つ、内側パネル１２を平行相向きに設置固定すると共に、二つの導電片２０をそれぞれ、正、負極電源線６０に接続すると、ランプ管７０を装着使用することができる。ランプ管７０装着時、図３で示されるように、ランプ管のピン７１を、線形導槽１３底端から置入し、最後まで推昇した後、緩めると、ランプ管の装着固定作業が完成する。その原理は、以下のようである。
【００１４】
図３、図４で示されるように、ピン７１が昇降素子４０を高位置から低位置に推動して移動させる時、スライドブロック３０の支承部３１がまず、制動部の左斜面４３によりピン７１下方位置に推移され、これにより、ピン７１は導電片２０に接触して、座体上にしっかり支承される。ランプ管７０を再度、最後まで推昇し、その後、緩めると、ランプホルダー上に装着されたランプ管を取り出すことができる。その原理は、以下のようである。
【００１５】
図５で示されるように、ピン７１が昇降素子４０を推動して、低位置から高位置に係止されると同時に、スライドブロック３０の支承部３１が、制動部の右斜面４４によりピン７１下方位置を偏離し、これにより、ピン７１は線形導槽１３を円滑に脱離し、ランプ管の交換が、迅速、且つ、ランプ管の支承強度が更に好ましくなる。
【００１６】
上述の実施例中、昇降素子４０が低位置にある時、ランプ管は装着が実行できない。故に、本考案の昇降素子４０の制動部４２底端は、更に、指示棒４５を延伸し、昇降素子４５が低位置に係止する時、この指示棒４５の底端は座体１０底縁から露出して、使用者は容易に昇降素子４０の実際位置を識別することができ、また、昇降素子４０の係止位置を変更する時の推圧施力作用を提供する。
【実施例２】
【００１７】
図６〜図８は、本考案の実施例２を示す図で、座体１０は、内側パネル１２上に線形導槽１３を開設して、ランプ管７０の同端の二つのピン７１は、垂直に自由に座体１０に進出することができる。導電片２０は、線形導槽１３の側辺位置に対設され、同一の線形導槽１３内に進入する二つのピン７１は、それぞれ、導電片２０に接触し、電源を導通させる。上述のランプホルダー構造によると、図８で示されるように、ピン７１が昇降素子４０を高位置から低位置に推動して移動させる時、スライドブロック３０の支承部３１がまず、制動部４２の右斜面４４によりピン７１下方位置に推移され、これにより、ピン７１は導電片２０に接触して、座体上にしっかり支承される。更に、図７で示されるように、ピン７１が昇降素子４０を推動して、低位置から高位置に係止されると同時に、スライドブロック３０の支承部３１が、制動部４２の左斜面４３によりピン７１下方位置から偏離し、これにより、ピン７１は線形導槽１３を円滑に脱離し、ランプ管を取り外すことができ、前述の実施例１と相同の使用効果が達成される。
【００１８】
図６で示されるように、注意すべきことは、本考案の実施例２のスライドブロック３０は、上下二つの支承部３１を同時形成して、ランプホルダー構造を、ランプ管直径が小さいT５ランプ管の装着応用にも適するようにしていることである。その原理は以下のようである。
【００１９】
図９で示されるように、T５ランプ管８０がピン８１により昇降素子４０を推動し、高位置から低位置に移向させると同時に、図１０で示されるように、スライドブロック３０の上下支承部３１が、まず、横移動して、ピン８１の下方で阻止され、T５ランプ管のピン８１を支承すると共に、それぞれ、線形導槽１３両側の導電片２０と接触する。
【００２０】
図１１を参照すると、本考案の各実施例中、座体１０の外部に少なくとも一種のほぞ構造１４を設置して、座体１０とランプ１５を係合結合させてもよい。
【００２１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００２２】
【図１】本考案の実施例１の分解図である。
【図２】本考案の実施例１の組み合わせ状態図である。
【図３】本考案の実施例１の組み合わせ後の外観図である。
【図４】本考案の実施例１のランプ管装着を示す図である。
【図５】本考案の実施例１のランプ管装着完成を示す図である。
【図６】本考案の実施例２の分解図である。
【図７】本考案の実施例２のランプ管装着を示す図である。
【図８】本考案の実施例２のランプ管装着完成を示す図である。
【図９】本考案の実施例２のT５ランプ管装着を示す図である。
【図１０】本考案の実施例２のT５ランプ管装着完成を示す図である。
【図１１】本考案のランプホルダーのランプ上装着を示す図である。
【符号の説明】
【００２３】
１０  座体
１２  パネル
１３  線形導槽
１４  ほぞ構造
１５  ランプ
２０  導電片
３０  スライドブロック
３１  支承部
４０  昇降素子
４１  押圧部
４２  制動部
４３  左斜面
４４  右斜面
４５  指示棒
６０  電源線
７０  ランプ管
７１  ピン
８０  T５ランプ管
８１  ピン
【図１】
0003124706.tif 000003
【図２】
0003124706.tif 000004
【図３】
0003124706.tif 000005
【図４】
0003124706.tif 000006
【図５】
0003124706.tif 000007
【図６】
0003124706.tif 000008
【図７】
0003124706.tif 000009
【図８】
0003124706.tif 000010
【図９】
0003124706.tif 000011
【図１０】
0003124706.tif 000012
【図１１】
0003124706.tif 000013